(57)【特許請求の範囲】
【請求項１】
熱変色性インキを内蔵した熱変色性筆記具であって、
内部に前記熱変色性インキを収容する筆記体と、
内部に前記筆記体を前後方向に移動可能に収容する軸筒と、
前記筆記体のペン先を前記軸筒の前端孔から出没させるための操作部と、
前記筆記体を前記軸筒の後方に付勢する弾発体と、
前記熱変色性インキの筆跡を摩擦し、その際に生じる摩擦熱で該筆跡を熱変色させることが可能な低摩耗性の弾性材料からなる摩擦部と、を備え、
前記軸筒の後部を前記操作部とし、
前記摩擦部を前記軸筒の前端部外面、前記軸筒の後端部外面、前記軸筒の側壁外面、又は前記軸筒の外面より突出するクリップの外面のいずれかの部位に設けた
ことを特徴とする熱変色性筆記具。
【請求項２】
前記操作部を前記軸筒の前部に対して回転操作することにより、ペン先を出没させる出没機構を備える請求項１に記載の熱変色性筆記具。
【請求項３】
前記操作部を前記軸筒の前部に対して押圧操作することにより、ペン先を出没させる出没機構を備える請求項１に記載の熱変色性筆記具。
【発明の詳細な説明】
【技術分野】
【０００１】
本発明は、熱変色性筆記具に関する。詳細には、熱変色性インキを内蔵した熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、キャップの頂部に設ける構成や、軸胴の後端に設ける構成が記載されている。
【先行技術文献】
【特許文献】
【０００３】
【特許文献１】日本特開２００４−１４８７４４号公報
【発明の概要】
【発明が解決しようとする課題】
【０００４】
前記従来の熱変色性筆記具は、キャップ式であるため、キャップの着脱動作を両手で行なう必要があり、片手しか使用できない場合、迅速に筆記可能状態または保管状態にすることが困難である。また、前記従来の熱変色性筆記具は、摩擦体を軸胴の後端に設ける構成の場合、筆記後、筆跡を摩擦変色する際に、軸胴の把持箇所をペン先側から後端側に反転させ、軸胴を大きく持ち替える必要あり、迅速に摩擦変色作業に移行できない。
【課題を解決するための手段】
【０００５】
本発明は、前記従来の問題点を解決するものであって、熱変色性筆跡を容易に摩擦変色することができるとともに、片手しか使用できない場合でも、迅速に筆記可能状態（ペン先突出状態）または保管状態（ペン先没入状態）にすることができる、熱変色性インキを内蔵した熱変色性筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【０００６】
［１］本願の第１の発明は、熱変色性インキを内蔵した熱変色性筆記具であって、軸筒２内に筆記体８を前後方向に移動可能に収容し、軸筒２の外面に操作部５を設け、前記操作部５を操作することにより前記筆記体８のペン先８１を軸筒２の前端孔３１から出没可能に構成し、前記筆記体８の内部に熱変色性インキ８３を収容し、前記筆記体８の前端に前記熱変色性インキ８３が吐出可能なペン先８１を設け、前記軸筒２の外面に、前記熱変色性インキ８３の筆跡を摩擦しその際に生じる摩擦熱で該筆跡を熱変色可能な摩擦部４を設けたことを要件とする。
【０００７】
前記第１の発明の熱変色性筆記具１は、操作部５の操作によって筆記体８のペン先８１を軸筒２の前端孔３１から出没可能に構成したことにより、片手で迅速に筆記可能状態（ペン先突出状態）または保管状態（ペン先没入状態）にすることができる。さらに、前記第１の発明は、軸筒２の外面に摩擦部４を設けたことにより、軸筒２を片手に把持した状態のまま、熱変色性インキ８３による筆跡を容易に摩擦変色させることができる。尚、前記第１の発明において、前記摩擦部４は、軸筒２の外面（即ち熱変色性筆記具１の外面）の少なくとも一部に設けられればよく、前記摩擦部４の設ける箇所は、例えば、軸筒２の前端部外面、軸筒２の後端部外面、軸筒２の側壁外面、軸筒２の外面より突出するクリップの外面、またはペン先８１を出没作動させるために軸筒２の外面より突出する操作部５の外面等が挙げられる。尚、本発明は、少なくとも１本の筆記体８が軸筒２内に前後方向に移動可能に収容される構成であればよく、例えば、１本の筆記体８が軸筒２内に前後方向に移動可能に収容される構成、または複数本の筆記体８が軸筒２内に前後方向に移動可能に収容される構成が挙げられる。
【０００８】
前記第１の発明の熱変色性筆記具１において、前記軸筒２内には、操作部５の操作によりペン先８１を出没させる出没機構が設けられる。前記操作部５は、軸筒２の後端や軸筒２の側壁に設けられる。前記操作部５は、熱変色性筆記具１を片手で把持した状態で、その把持した手によって、操作可能である。本発明の出没機構は、前記操作部５を軸筒２の後端部に設け、前記操作部５を、筆記体８の後方付勢に抗して前方に押圧操作することにより、ペン先没入状態からペン先突出状態にする構成（いわゆる後端ノック式）が好ましい。しかし、本発明の出没機構は、これ以外にも、前記操作部５を軸筒２側壁より径方向外方に突出させ、前記操作部５を後方付勢に抗して前方に押圧操作することにより、ペン先没入状態からペン先突出状態にする構成（いわゆるサイドスライド式）、前記操作部５を軸筒２側壁より径方向外方に突出させ、前記操作部５を径方向内方に押圧操作することにより、ペン先没入状態からペン先突出状態にする構成（いわゆるサイドノック式）、または、軸筒２の後部に設けた操作部５を軸筒２の前部に対して回転させることによりペン先８１を出没させる構成（いわゆる回転式）等を採用することができる。
【０００９】
［２］本願の第２の発明は、前記第１の発明において、前記摩擦部４を軸筒２の前端に設け、ペン先没入状態において、摩擦部４前端がペン先８１前端より前方に位置し、ペン先突出状態において、ペン先８１前端が摩擦部４前端より前方に位置することを要件とする。
【００１０】
前記第２の発明の熱変色性筆記具１は、ペン先突出状態において、摩擦部４が被筆記面
に接触することを回避でき、円滑な筆記が可能となる。また、前記第２の発明の熱変色性
筆記具１は、ペン先没入状態において、軸筒２の前端に設けた摩擦部４で筆跡を摩擦する
ことができるため、筆記後、軸筒２を大きく持ち替えることが不要となり、迅速に摩擦変
色作業に移行できる。
【００１１】
［３］本願の第３の発明は、前記第２の発明において、前記前端孔３１を有する軸筒２のペン先支持部３が硬質材料よりなり、前記軸筒２のペン先支持部３の前端外面に軟質材料よりなる摩擦部４を設けたことを要件とする。
【００１２】
前記第３の発明の熱変色性筆記具１は、ペン先支持部３が硬質材料からなるため、軸筒２の前端孔３１から外部にペン先８１が突出した状態（筆記時）において、ペン先８１外面または筆記体８のペン先８１近傍外面が、硬質材料からなるペン先支持部３の前端孔３１内面により支持される。それにより、ペン先８１のぐらつきが抑えられ、安定した筆記感が得られる。また、前記硬質材料よりなるペン先支持部３の前端外面に軟質材料よりなる摩擦部４を形成したことにより、筆跡を摩擦変色させる際、摩擦部４のぐらつきが抑えられ、安定した摩擦変色作業が可能となる。
【００１３】
［４］本願の第４の発明は、前記第２の発明において、前記摩擦部４と前記筆記体８とが非接触状態に維持されることを要件とする。
【００１４】
前記第４の発明の熱変色性筆記具１は、ペン先出没時、摩擦部４と筆記体８（即ちペン先８１及び筆記体８のペン先８１近傍外面）とが非接触状態に維持されるため、インキの付着による摩擦部４の汚れを防止できるとともに、円滑なペン先出没作動が得られる。
【００１５】
［５］本願の第５の発明は、前記第２の発明において、前記摩擦部４の前端外周縁４１が凸曲面または傾斜面からなることを要件とする。
【００１６】
それにより、前記第５の発明の熱変色性筆記具１は、前端外周縁に尖った角部を形成することがなく、摩擦変色時の摩擦部４と被筆記面との円滑な接触が可能となるとともに、摩擦部４と被筆記面との適正な接触面積が得られることにより摩擦熱の発生が容易となる。尚、前記傾斜面とは、軸線に対して傾斜した面（テーパ面）をいう。
【００１７】
［６］本願の第６の発明は、前記第２の発明において、前記摩擦部４の外面とペン先突出状態のペン先前端とに接する接線と、軸線とのなす角度αを、１０度〜６０度（好ましくは１５度〜６０度、さらに好ましくは２０度〜５０度）の範囲に設定したことを要件とする。
【００１８】
それにより、前記第６の発明の熱変色性筆記具１は、摩擦部４の適正な摩擦変色性能が得られるとともに、ペン先突出状態（筆記時）において、ペン先８１を容易に視認でき且つ摩擦部４と被筆記面との非接触状態が維持される。
【００１９】
［７］本願の第７の発明は、前記第２の発明において、前記摩擦部４を環状に設けることを要件とする。
【００２０】
それにより、前記第７の発明の熱変色性筆記具１は、摩擦部４を用いて摩擦する前に摩擦部４の周方向の向きを確認することが不要となり、迅速に摩擦変色作業を開始することができる。
【００２１】
［８］本願の第８の発明は、前記第２の発明において、前記操作部５を軸筒２の後端部に設け、前記操作部５を前方に押圧操作することによりペン先没入状態からペン先突出状態にする出没機構を備えることを要件とする。
【００２２】
それにより、前記第８の発明の熱変色性筆記具１は、摩擦変色作業後、軸筒２の把持箇所をペン先側から後端側に反転させ軸筒２を大きく持ち替える必要がなく、迅速にペン先突出操作に移行できる。
【００２３】
［９］本願の第９の発明は、前記第２の発明において、前記操作部５を軸筒２の側壁より径方向外方に突出させ、前記操作部５を前方に押圧操作することによりペン先没入状態からペン先突出状態にする出没機構を備えることを要件とする。
【００２４】
それにより、前記第９の発明の熱変色性筆記具１は、摩擦変色作業後、軸筒２の把持箇所をペン先側から後端側に反転させ軸筒２を大きく持ち替える必要がなく、迅速にペン先突出操作に移行できる。
【００２５】
［１０］本願の第１０の発明は、前記第２の発明において、前記操作部５を軸筒２の側壁より径方向外方に突出させ、前記操作部５を径方向内方に押圧操作することによりペン先没入状態からペン先突出状態にする出没機構を備えることを要件とする。
【００２６】
それにより、前記第１０の発明の熱変色性筆記具１は、摩擦変色作業後、軸筒２の把持箇所をペン先側から後端側に反転させ軸筒２を大きく持ち替える必要がなく、迅速にペン先突出操作に移行できる。
【００２７】
［１１］本願の第１１の発明は、前記第２の発明において、軸筒２の後部に操作部５を設け、前記操作部５を軸筒２の前部に対して回転操作することによりペン先８１を出没させる出没機構を備えることを要件とする。
【００２８】
それにより、前記第１１の発明の熱変色性筆記具１は、摩擦変色作業後、軸筒２の把持箇所をペン先側から後端側に反転させ軸筒２を大きく持ち替える必要がなく、迅速にペン先突出操作に移行できる。
【００２９】
［１２］本願の第１２の発明は、前記第１の発明において、前記摩擦部４を軸筒２の後端に設けたことを要件とする。それにより、前記第１２の発明の熱変色性筆記具１は、ペン先突出状態であっても、摩擦部４で熱変色性インキ８３の筆跡を摩擦することができる。
【００３０】
［１３］本願の第１３の発明は、前記第１２の発明において、軸筒２の後端部に操作部５を設け、前記操作部５を軸筒２の前部に対して前方に押圧操作することによりペン先没入状態からペン先突出状態にする出没機構を備え、前記操作部５の後端外面に摩擦部４を設け、前記操作部５の外周面に、前記摩擦部４を用いて摩擦する際に把持可能な把持部５１を設けたことを要件とする。
【００３１】
前記第１３の発明の熱変色性筆記具１は、前記操作部５の外周面に、前記摩擦部４を用いて摩擦する際に把持可能な把持部５１を設けたことにより、摩擦変色時、安定した把持が可能となる。前記把持部５１は、軸方向の長さを１０ｍｍ以上（好ましくは１５ｍｍ以上）に設定することが有効である。また、前記第１３の発明の熱変色性筆記具１は、操作部５の後端外面に軟質材料よりなる摩擦部４を設けることにより、操作部５を前方に押圧操作する際の指との滑り止めがなされる。
【００３２】
［１４］本願の第１４の発明は、前記第１２の発明において、軸筒２の後部に操作部５を設け、前記操作部５を軸筒２の前部に対して回転操作することによりペン先没入状態からペン先突出状態にする出没機構を備え、前記操作部５の後端外面に摩擦部４を設け、前記操作部５の外周面に、前記摩擦部４を用いて摩擦する際に把持可能な把持部５１を設けたことを要件とする。
【００３３】
前記第１４の発明の熱変色性筆記具１は、前記操作部５の外周面に、前記摩擦部４を用いて摩擦する際に把持可能な把持部５１を設けたことにより、摩擦変色時、安定した把持が可能となる。前記把持部５１は、軸方向の長さを１０ｍｍ以上（好ましくは１５ｍｍ以上）に設定することが有効である。
【００３４】
［１５］本願の第１５の発明は、前記第１２の発明において、前記操作部５を軸筒２の側壁より径方向外方に突出させ、前記操作部５を前方に押圧操作することによりペン先没入状態からペン先突出状態にする出没機構を備えることを要件とする。
【００３５】
前記第１５の発明の熱変色性筆記具１は、操作部５を摩擦部４に対して独立して設けることができ、操作部５の外観や大きさを自由に設定できる。
【００３６】
［１６］本願の第１６の発明は、前記第１２の発明において、前記操作部５を軸筒２の側壁より径方向外方に突出させ、前記操作部５を径方向内方に押圧操作することによりペン先没入状態からペン先突出状態にする出没機構を備えることを要件とする。
【００３７】
前記第１６の発明の熱変色性筆記具１は、操作部５を摩擦部４に対して独立して設けることができ、操作部５の外観や大きさを自由に設定できる。
【００３８】
［１７］本願の第１７の発明は、前記第１２の発明において、摩擦部操作部２ｄを軸筒２の外面に設け、前記摩擦部操作部２ｄを操作することにより、摩擦部４を軸筒２の後端
から出没可能に構成したことを要件とする。
【００３９】
前記第１７の発明の熱変色性筆記具１は、摩擦時には、摩擦部４を軸筒２の後端から外部に突出させて摩擦に使用でき、一方、非摩擦時や保管時には、摩擦部４を軸筒２内に没入させ、摩擦部４の汚れを防止できる。尚、前記摩擦部操作部２ｄは、例えば、軸筒２に対して回転操作するタイプ、または軸筒２に対して前後にスライド操作するタイプが挙げられる。
【００４０】
［１８］本願の第１８の発明は、前記第１の発明において、前記摩擦部４を、軸筒２の前端及び軸筒２の後端に設け、ペン先没入状態において、前記軸筒２の前端に設けた摩擦部４の前端が、ペン先前端より前方に位置し、ペン先突出状態において、ペン先前端が、前記軸筒２の前端に設けた摩擦部４の前端より前方に位置することを要件とする。
【００４１】
前記第１８の発明の熱変色性筆記具１は、ペン先突出状態において、軸筒２の前端に設けた摩擦部４が被筆記面に接触することを回避でき、円滑な筆記が可能となる。また、前記第１８の発明の熱変色性筆記具１は、ペン先没入状態において、軸筒２の前端に設けた摩擦部４で筆跡を摩擦することができるため、筆記後、軸筒２を大きく持ち替えることが不要となり、迅速に摩擦変色作業に移行できる。また、前記第１８の発明の熱変色性筆記具１は、ペン先突出状態であっても、軸筒２の後端に設けた摩擦部４で熱変色性インキ８３の筆跡を摩擦することができる。
【００４２】
［１９］本願の第１９の発明は、前記第１の発明において、軸筒２内に、複数本の筆記体８を前後方向に移動可能に収容し、前記複数本の筆記体８の各々のペン先８１を軸筒２の前端孔３１から択一的に出没可能に構成し、前記各々の筆記体８のペン先８１から吐出される熱変色性インキ８３による筆跡を、前記軸筒２外面に設けた摩擦部４によって摩擦し、その際に生じる摩擦熱で前記筆跡の各々が熱変色可能であることを要件とする。
【００４３】
前記第１９の発明の熱変色性筆記具１は、熱変色性インキ８３による、複数（少なくとも２種類）の筆跡を１本の筆記具で得ることができる。また、前記第１９の発明の熱変色性筆記具１は、各々の筆記体８のペン先８１から吐出される熱変色性インキ８３の筆跡が、摩擦部４によって熱変色可能であるため、各々の筆記体８による熱変色性インキ８３の筆跡を、摩擦部４によって一度に熱変色させることができる。
【００４４】
［２０］本願の第２０の発明は、前記第１の発明において、軸筒２内に、複数本の筆記体８を前後方向に移動可能に収容し、前記複数本の筆記体８の各々のペン先８１を軸筒２の前端孔３１から択一的に出没可能に構成し、前記軸筒２の前端部に着脱自在のキャップ１１を設け、前記キャップ１１を軸筒２の前端部に装着したとき、前記キャップ１１が軸筒２の前端孔３１を密閉してなり、前記各々の筆記体８のペン先８１から吐出される熱変色性インキ８３による筆跡を、前記軸筒２外面に設けた摩擦部４によって摩擦し、その際に生じる摩擦熱で前記筆跡の各々が熱変色可能であることを要件とする。
【００４５】
前記第２０の発明の熱変色性筆記具１は、熱変色性インキ８３による、複数（少なくとも２種類）の筆跡を１本の筆記具で得ることができる。前記第２０の発明の熱変色性筆記具１は、各々の筆記体８のペン先８１から吐出される熱変色性インキ８３の筆跡の各々が、摩擦部４によって熱変色可能であるため、各々の筆記体８による熱変色性インキ８３の筆跡を、摩擦部４によって一度に熱変色させることができる。また、前記第２０の発明の熱変色性筆記具１は、キャップ１１を軸筒２の前端部に装着した際、キャップ１１が軸筒２の前端孔３１を密閉してなることにより、非筆記時、各々の筆記体８のペン先８１からのインキの蒸発を防止できる。
【００４６】
［２１］本願の第２１の発明は、前記第２０の発明において、軸筒２内に、各々の筆記体８の外面と密接摺動するシール部１０１を設け、キャップ１１を軸筒２の前端部に装着したとき、前記シール部１０１とキャップ１１との間で各々の筆記体８のペン先８１を密封してなることを要件とする。
【００４７】
前記第２１の発明の熱変色性筆記具１は、キャップ１１を軸筒２の前端部に装着したとき、シール部１０１とキャップ１１との間で密封空間を形成でき、非筆記時、各々の筆記体８のペン先８１を確実に密封することができる。
【００４８】
［２２］本願の第２２の発明は、前記第２１の発明において、前記筆記体８の各々を後方に付勢する弾発体７を軸筒２内に収容し、前記弾発体７の各々の後端を支持する弾発体支持部２ｂを軸筒２内に設け、前記弾発体支持部２ｂに前記シール部１０１を備えるシール体１０を固定してなることを要件とする。
【００４９】
前記第２２の発明の熱変色性筆記具１は、弾発体支持部２ｂに前記シール部１０１を備えるシール体１０を固定してなることにより、シール体１０の確実な固定が可能となる。
【００５０】
［２３］本願の第２３の発明は、前記第１９の発明において、前記各々の筆記体８の内部に収容された熱変色性インキ８３の発色状態の色が互いに異なることを要件とする。
【００５１】
前記第２３の発明の熱変色性筆記具１は、各々の筆記体８の内部に収容された熱変色性インキ８３による、発色状態の色が異なる複数種の筆跡を、摩擦部４の摩擦熱により一度に熱変色させることができる。また、前記第２３の発明の熱変色性筆記具１は、各々の熱変色性インキ８３の筆跡が重なった状態の場合でも、異なる発色状態の色によって前記複数種の筆跡の各々を識別できる。
【００５２】
［２４］本願の第２４の発明は、前記第１９の発明において、前記各々の筆記体８の内部に収容された熱変色性インキ８３の、摩擦部４の摩擦熱による変色温度を２５℃〜９５℃に設定したことを要件とする。
【００５３】
前記第２４の発明の熱変色性筆記具１は、摩擦部４による摩擦熱によって、各々の筆記体８の熱変色性インキ８３による複数種の筆跡を、確実に、一度に熱変色させることができる。もし、各々の筆記体８の熱変色性インキ８３の変色温度が、前記温度範囲から外れている場合、複数種の筆跡を、摩擦部４の摩擦熱で一度に熱変色できないおそれがある。
【００５４】
［２５］本願の第２５の発明は、前記第２０の発明において、前記キャップ１１の外面に、前記熱変色性インキ８３の筆跡を摩擦しその際に生じる摩擦熱で該筆跡を熱変色可能な摩擦部４を設けたことを要件とする。
【００５５】
前記第２５の発明の熱変色性筆記具１は、キャップ１１の外面に摩擦部４を設けたことにより、キャップ１１を軸筒２の後端部に装着させた状態、キャップ１１が軸筒２と分離した状態、及びキャップ１１が軸筒２のペン先側に装着された状態において、キャップ１１外面の摩擦部４を使用できる。即ち、前記第２５の発明の熱変色性筆記具１は、キャップ１１が軸筒２に対していかなる状態であっても、筆記使用後、即座に熱変色性インキ８３の筆跡を摩擦により熱変色させることができる。
【００５６】
［２６］本願の第２６の発明は、前記第１の発明において、前記軸筒２の前端部に着脱自在のキャップ１１を設け、前記キャップ１１を軸筒２の前端部に装着したとき、前記キャップ１１が軸筒２の前端孔３１を密閉してなることを要件とする。
【００５７】
前記第２６の発明の熱変色性筆記具１は、キャップ１１を軸筒２の前端部に装着した際、キャップ１１が軸筒２の前端孔３１を密閉してなることにより、非筆記時、ペン先８１からのインキの蒸発を防止できる出没式の熱変色性筆記具を得る。
【００５８】
［２７］本願の第２７の発明は、前記第２６の発明において、前記キャップ１１の外面に、前記熱変色性インキ８３の筆跡を摩擦しその際に生じる摩擦熱で該筆跡を熱変色可能な摩擦部４を設けたことを要件とする。
【００５９】
前記第２７の発明の熱変色性筆記具１は、キャップ１１の外面に摩擦部４を設けたことにより、キャップ１１を軸筒２の後端部に装着させた状態、キャップ１１が軸筒２と分離した状態、及びキャップ１１が軸筒２のペン先側に装着された状態において、キャップ１１外面の摩擦部４を使用できる。即ち、前記第２７の発明の熱変色性筆記具１は、キャップ１１が軸筒２に対していかなる状態であっても、筆記使用後、即座に熱変色性インキ８３の筆跡を摩擦により熱変色させることができる。
【００６０】
・摩擦部
尚、本発明で、前記摩擦部４を構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部４を構成する軟質材料は、高摩耗性の弾性材料（例えば、消しゴム等）からなるものよりも、紙面等の摩擦で摩耗屑が殆ど生じない低摩耗性の弾性材料からなるものが有効である。前記摩擦部４は、軸筒２のペン先支持部３の外面に２色成形により一体に形成する構成、または摩擦部４を構成する別部品を軸筒２のペン先支持部３に固着（例えば、嵌着、圧入、螺着、接着）する構成が挙げられる。前記摩擦部４は、軸筒２の軟質部材からなる把持部５１（グリップ部）と一体に形成する構成でもよい。
【００６１】
・軸筒
前記前端孔３１を備えた軸筒２のペン先支持部３は、ペン先突出状態のペン先８１外面または筆記体８のペン先８１近傍外面を支持するものである。前記ペン先支持部３を構成する硬質材料は、合成樹脂（例えば、ポリカーボネイト、ポリプロプレン、ポリアセタール、ポリエチレンテレフタレート、ＡＢＳ樹脂等）または金属等が挙げられる。
【００６２】
・ペン先
尚、本発明で、前記ペン先８１は、例えば、ボールペンチップ、繊維束の樹脂加工体、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。前記ペン先８１がボールペンチップの場合、ペン先没入状態のペン先乾燥防止機構として、ペン先ボールを前方に付勢し、チップ前端の内向きのカシメ部（前端縁部）内面にボールを圧接させる構成が有効である。前記ペン先８１が、ボールペンチップ以外の構成の場合、ペン先没入状態のペン先乾燥防止機構として、軸筒２の前端孔３１を閉鎖し軸筒２内に没入状態のペン先８１を密封する構成が有効である。
【００６３】
・熱変色性インキ
尚、本発明で、前記熱変色性インキ８３は、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００６４】
また、前記可逆熱変色性インキに含有される可逆熱変色性マイクロカプセル顔料は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させたものが有効である。
【００６５】
本発明では、図６に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図６において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００６６】
前記実質的二相保持温度域は、目的に応じて設定できるが、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦部による摩擦熱で容易に変色することができる。
【００６７】
前記可逆熱変色性マイクロカプセル顔料は、粒子径の平均値が０．５〜５．０μｍ、好ましくは１〜４μｍの範囲にあることが好ましい。平均粒子径が５．０μｍを越える系では、ボールペンチップやマーキングペンチップの毛細間隙からの流出性が低下し、平均粒子径が０．５μｍ未満の系では高濃度の発色性を示し難くなる。
【００６８】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【発明の効果】
【００６９】
本発明は、熱変色性筆跡を容易に摩擦変色でき、且つ、片手しか使用できない場合でも、迅速に筆記可能状態及び保管状態にすることができる、熱変色性インキを内蔵した熱変色性筆記具を提供できる。
【図面の簡単な説明】
【００７０】
【図１】本発明の第１の実施の形態のペン先突出状態を示す一部切欠縦断面図である。
【図２】図１の要部拡大縦断面図である。
【図３】本発明の第１の実施の形態のペン先没入状態を示す一部切欠縦断面図である。
【図４】図３の要部拡大縦断面図である。
【図５】第１の実施の形態に用いた筆記体の縦断面図である。
【図６】熱変色性インキの変色挙動を示す説明図である。
【図７】本発明の第２の実施の形態のペン先突出状態を示す一部切欠縦断面図である。
【図８】本発明の第３の実施の形態のペン先突出状態を示す一部切欠縦断面図である。
【図９】本発明の第４の実施の形態のペン先突出状態を示す一部切欠縦断面図である。
【図１０】本発明の第５の実施の形態のペン先突出状態を示す一部切欠縦断面図である。
【図１１】第５の実施の形態に用いた筆記体の縦断面図である。
【図１２】本発明の第６の実施の形態のペン先突出状態を示す一部切欠縦断面図である。
【図１３】本発明の第７の実施の形態のペン先突出状態を示す一部切欠縦断面図である。
【図１４】本発明の第８の実施の形態のペン先突出状態を示す一部切欠縦断面図である。
【図１５】本発明の第９の実施の形態のペン先突出状態を示す一部切欠縦断面図である。
【図１６】本発明の第１０の実施の形態のペン先突出状態を示す一部切欠縦断面図である。
【図１７】本発明の第１１の実施の形態の非筆記状態を示す縦断面図である。
【図１８】本発明の第１２の実施の形態の非筆記状態を示す縦断面図である。
【図１９】図１８のＡ−Ａ線拡大断面図である。
【図２０】図１８の筆記状態を示す縦断面図である。
【発明を実施するための形態】
【００７１】
＜第１の実施の形態＞
本発明の熱変色性筆記具の第１の実施の形態を図１乃至図５に示す。
本実施の形態の熱変色性筆記具１は、軸筒２と、軸筒２内に前後方向に移動可能に収容された筆記体８とからなる。
【００７２】
・軸筒
前記軸筒２は、硬質材料（例えば、ポリカーボネイト樹脂）の射出成形によって得られる。前記軸筒２の前端部は、先細状に形成される。前記先細状の前端部の前端（即ち軸筒２の前端）には前端孔３１が前後方向に貫設される。前記前端孔３１を通して、軸筒２内に収容した筆記体８のペン先８１が出没可能（即ち外部に突出可能且つ軸筒２内に没入可能）となる。前記軸筒２の後部外面には、ポケット等に挟持可能なクリップ６が突設される。また、前記軸筒２内には、筆記体８を常時後方に付勢する弾発体７（具体的には圧縮コイルスプリング）が収容される。前記軸筒２は、前軸と該前軸の後端に着脱自在に螺着される後軸とからなるため、前記軸筒２内から前記筆記体８を取り出して交換することが可能である。
【００７３】
・ペン先支持部
前記前端孔３１を備える軸筒２の前端は、ペン先８１が軸筒２の前端より外部に突出した状態（筆記時）において、ペン先８１の径方向外面を支持するペン先支持部３となる。前記ペン先支持部３は、軸筒２の前端に一体に形成されるため、軸筒２と同じ硬質材料（例えば、ポリカーボネイト樹脂）によって構成される。
【００７４】
・摩擦部
前記軸筒２の前端外面（即ちペン先支持部３の前端外面）に、軟質材料（例えば、ＳＢＳ樹脂、ＳＥＢＳ樹脂等の低摩耗性の弾性材料）からなる摩擦部４が設けられる。
【００７５】
前記摩擦部４は、ペン先支持部３の前端外周面に環状に設けられる。それにより、摩擦部４を用いて摩擦する前に摩擦部４の周方向の向きを確認することが不要となり、迅速に摩擦変色作業を開始することができる。尚、前記摩擦部４の形状は、非環状（例えば、周方向に複数分散される構成、周方向の１箇所に形成される構成等）でもよい。
【００７６】
前記摩擦部４の前端外周縁４１には、凸曲面または傾斜面が形成される。それにより、摩擦変色時、摩擦部４と被筆記面との円滑な接触が可能となるとともに、摩擦部４と被筆記面との適正な接触面積が得られることにより摩擦熱の発生が容易となる。
【００７７】
前記摩擦部４の径方向内面は、前端孔３１内面より径方向外方に位置する。即ち、前記摩擦部４は、前端孔３１の内面より径方向内方に突出されていない。そのため、ペン先出没時、前記摩擦部４と軸筒２内に収容された筆記体８（具体的にはペン先８１）との非接触状態が維持される。それにより、軸筒２内に収容された筆記体８のペン先８１が出没する際、筆記体８（具体的にはペン先８１）が摩擦部４と接触せず、円滑なペン先８１の出没作動が得られ、さらに、摩擦部４がインキの付着によって汚れることがない。
【００７８】
前記摩擦部４は、軸筒２の前端外面に別部品を固着すること（例えば、嵌着、圧入、螺着、接着等）により得られる。または、前記摩擦部４は、軸筒２との２色成形により得られる。
【００７９】
・出没機構
前記軸筒２には、ペン先を出没させる出没機構が内蔵されている。本実施の形態では、前記出没機構として、いわゆる後端ノック式が採用される。前記出没機構は、前記軸筒２の後端より後方に突出された操作部５を、前方に押圧することによって、筆記体８を後方付勢に抗して前方に移動させ、ペン先没入状態からペン先突出状態にするものである。さらに、本実施の形態では、再度、操作部５を前方に押圧することにより、ペン先突出状態からペン先没入状態にすることができる。
【００８０】
・筆記体
前記筆記体８は、ペン先８１と、前記ペン先８１を前端に備え且つ内部に熱変色性インキ８３を収容するインキ収容部８２とからなる。前記ペン先８１より前記熱変色性インキ８３が吐出される。
【００８１】
前記ペン先８１は、前端に回転可能に抱持されたボール８１ａを備えるボールペンチップからなる。前記ペン先８１の内部には、前端のボール８１ａを前方に押圧する弾発体８１ｂが収容される。前記弾発体８１ｂは、圧縮コイルスプリングの前端部にロッド部を備えた構成であり、前記ロッド部の前端がボール８１ａ後面に接触している。非筆記時、前記弾発体８１ｂの前方付勢によりボール８１ａがボールペンチップ前端の内向きのカシメ部内面に密接され、ペン先８１の前端からのインキの漏出及びインキの蒸発を防止できる。
【００８２】
前記インキ収容部８２は、ペン先８１を保持するペン先ホルダー８２ａと、前記ペン先ホルダー８２ａが前端に固着されるインキ収容管８２ｂとからなる。前記インキ収容部８２内には、熱変色性インキ８３と、該インキ８３の後端に配置される追従体８４とが収容される。
【００８３】
前記熱変色性インキ８３は、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。前記熱変色性インキ８３は、消色状態において、無色となる。
【００８４】
前記追従体８４は、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００８５】
前記インキ収容管８２ｂの後端には、通気孔を有する尾栓８５が嵌着される。
【００８６】
・角度α
尚、本実施の形態において、前記摩擦部４の外面と突出状態のペン先８１前端とに接する接線と、軸線とのなす角度αは、１５度〜５０度の範囲に設定される。それにより、摩擦部４の適正な摩擦変色性能が得られるとともに、筆記時（ペン先突出時）、ペン先８１を容易に視認でき且つ摩擦部４と被筆記面との非接触状態が維持される。
【００８７】
・筆記時（図１及び図２参照）
本実施の形態の熱変色性筆記具１を片手に持ち、操作部５を前方に押圧操作することによって、迅速にペン先没入状態からペン先突出状態にすることできる。この突出状態のペン先で、紙面等の被筆記面に筆記することにより、熱変色性インキ８３による筆跡を被筆記面に形成することができる。
【００８８】
・摩擦変色時（図３及び図４参照）
筆記後、前記熱変色性筆記具１を片手に持った状態で、熱変色性筆記具１を大きく持ち替えること無く、操作部５を前方に押圧操作することによって、迅速にペン先突出状態からペン先没入状態にすることができる。前記ペン先没入状態において、摩擦部４を用いて、被筆記面に形成された前記熱変色性インキ８３による筆跡を摩擦し、その際に生じる摩擦熱で前記筆跡を熱変色させることができる。
【００８９】
＜第２の実施の形態＞
本発明の熱変色性筆記具の第２の実施の形態を図７に示す。
本実施の形態の熱変色性筆記具１は、第１の実施の形態の変形例であり、第１の実施の形態と異なる点は、軸筒２の後端部外周面に、筒状の操作部５を前後方向に移動可能に設けた点である。前記操作部５の外面には、ポケット等に挟持可能なクリップ６が突設されている。
【００９０】
尚、前記第２の実施の形態において、他の構成及び作用効果は、第１の実施の形態と共通であるため説明を省略する。
【００９１】
＜第３の実施の形態＞
本発明の熱変色性筆記具の第３の実施の形態を図８に示す。
本実施の形態の熱変色性筆記具１は、第１の実施の形態の変形例であり、第１の実施の形態と異なる点は、軸筒２の後端部外周面に、操作部５を軸筒２に対して回転可能に設けた点である。前記操作部５の外面には、ポケット等に挟持可能なクリップ６が突設されている。
【００９２】
即ち、本実施の形態の出没機構は、いわゆる回転式であり、軸筒２に対して操作部５を回転操作することにより、前端孔３１よりペン先８１を出没させるものである。
【００９３】
尚、前記第３の実施の形態において、他の構成及び作用効果は、第１の実施の形態と共通であるため説明を省略する。
【００９４】
＜第４の実施の形態＞
本発明の熱変色性筆記具の第４の実施の形態を図９に示す。
本実施の形態の熱変色性筆記具１は、第１の実施の形態の変形例であり、第１の実施の形態と異なる点は、軸筒２の側壁に形成された孔より、操作部５が径方向外方に突出された点である。
【００９５】
即ち、本実施の形態の出没機構は、いわゆるサイドノック式であり、前記操作部５を径方向内方に押圧操作することにより、前端孔３１よりペン先８１を出没させるものである。
【００９６】
尚、前記第４の実施の形態において、他の構成及び作用効果は、第１の実施の形態と共通であるため説明を省略する。
【００９７】
＜第５の実施の形態＞
本発明の熱変色性筆記具の第５の実施の形態を図１０及び図１１に示す。
本実施の形態の熱変色性筆記具１は、軸筒２と、軸筒２内に前後方向に移動可能に収容された複数本の筆記体８とからなる。
【００９８】
軸筒２内には、複数本の筆記体８の各々が前後方向（軸方向）に移動可能に収容されている。前記筆記体８の各々は、弾発体７（具体的には圧縮コイルスプリング）により、後方に付勢されている。
【００９９】
前記軸筒２には、ペン先８１を出没させる出没機構が内蔵されている。本実施の形態では、前記出没機構として、いわゆるサイドスライド式が採用される。前記出没機構は、軸筒２側壁より径方向外方に突出された各々の操作部５を、弾発体７の後方付勢に抗して前方に押圧操作することにより、前端孔３１よりペン先８１を出没させるものである。
【０１００】
前記軸筒２は、先細状の円筒体からなる前軸２ａと、該前軸２ａの後端部と螺合または圧入により取り付けられる円筒状の弾発体支持部２ｂと、該弾発体支持部２ｂの後端部と螺合または圧入により取り付けられる円筒状の後軸２ｃとからなる。
【０１０１】
前記前軸２ａの前端には、筆記体８の各々が択一的に突出可能な前端孔３１が軸方向に貫設される。
【０１０２】
前記後軸２ｃの後部の側壁には、軸筒２内に収容する筆記体８の本数に応じた複数（ここでは２本）の前後方向に延びる細長状の窓孔２１が、径方向に貫設される。また、前記後軸２ｃの窓孔２１の相互間の側壁内面には、前後方向に延びるリブよりなる係止壁部２２が形成され、前記係止壁部２２に、ペン先８１が突出した際のその突出したペン先８１に対応した操作体９の後端が係止される。前記後軸２ｃの後端壁内面には、当接壁部２３が形成され、前記当接壁部２３に、ペン先８１が没入した際のその没入したペン先８１に対応した操作体９の後端が係止される。
【０１０３】
前記筆記体８の各々は、ボールペンレフィルであり、前端にボール８１ａが回転可能に抱持されたペン先８１と、該ペン先８１を前端に備え且つ後端が開口されたインキ収容管８２ｂとからなる。前記インキ収容管８２ｂの内部には、剪断減粘性を有する水性ゲルよりなる熱変色性インキが収容される。前記インキ収容管８２ｂ内の熱変色性インキ８３の後端には、該インキ８３の消費に伴い前進する高粘度流体からなる追従体８４が充填される。
【０１０４】
前記ペン先８１の各々は、前端に回転可能に抱持されたボール８１ａを備えるボールペンチップからなる。前記ペン先８１の各々の内部には、前端のボール８１ａを前方に押圧する弾発体８１ｂが収容される。前記弾発体８１ｂは、圧縮コイルスプリングの前端部にロッド部を備えた構成であり、前記ロッド部の前端がボール８１ａ後面に接触している。非筆記時、前記弾発体８１ｂの前方付勢によりボール８１ａがボールペンチップ前端の内向きの前端縁部内面に密接され、ペン先８１の各々の前端からのインキの漏出及びインキの蒸発を防止できる。また、ペン先８１は、インキ収容管８２ｂの前端開口部に圧入等により直接、取り付けてもよいが、本実施の形態ではペン先ホルダー８２ａを介してインキ収容管８２ｂの前端開口部に固着される。
【０１０５】
前記熱変色性インキ８３の各々は、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性組成物を有するインキが採用される。前記熱変色性インキ８３の各々は、発色状態において、例えば、黒、青、赤、黄、緑、橙、紫、紺、ピンク、水色等を呈する。前記熱変色性インキ８３の各々は、消色状態において、無色となる。前記熱変色性インキ８３の各々は、発色状態において、異なる色を呈する。
【０１０６】
前記筆記体８の各々の後端には、操作体９が取り付けられる。前記各々の操作体９は、後端部に形成され且つ軸筒２の窓孔２１から外部に突出する操作部５と、該操作部５の反対側に設けられる後側突出部９１と、該操作部５の反対側の後側突出部９１の前方に設けられる前側突出部９２と、前端部に形成され且つインキ収容管８２ｂの後端開口部に嵌入される嵌入部９３と、該嵌入部９３の後方に形成される鍔部９４とを備える。前記嵌入部９３は、インキ収容管８２ｂの後端開口部に嵌入された際、インキ収容管８２ｂの後端開口部を完全には塞がず、インキ収容管８２ｂの内部と外部とを通気可能にする。また、前記鍔部９４の前面には、弾発体７の後端が係止される。
【０１０７】
筆記体８のペン先８１のいずれかが没入状態のとき、そのペン先没入状態の筆記体８に取り付けられた操作体９の後端部は、軸筒２の後端部内壁に形成された当接壁部２３に当接される。一方、筆記体８のペン先８１のいずれか突出状態のとき、そのペン先突出状態の筆記体８に取り付けられた操作体９の後端部は、軸筒２の内壁に形成された係止壁部２２に係止される。
【０１０８】
ペン先没入状態にある筆記体８の後端に連結された操作体９の前側突出部９２は、その操作体９の操作部５を前方にスライド操作した際、先にペン先突出状態にある筆記体８の後端に連結された操作体９の後側突出部９１と当接され、筆記体８のペン先突出状態が解除される。
【０１０９】
軸筒２の内壁（即ち後軸２ｃの前端部内面）には、円筒状の弾発体支持部２ｂが固着される。前記弾発体支持部２ｂは、円板状の支持壁部を備え、前記支持壁部に、筆記体８が挿通される複数（ここでは２個）の内孔が軸方向に貫設され。前記弾発体支持部２ｂの後面（即ち支持壁部の後面）と、各々の操作体９の鍔部９４の前面との間には、各々の弾発体７が配置される。前記各々の弾発体７の内部に筆記体８の各々が遊挿されるとともに、各々の弾発体７の前端が弾発体支持部２ｂの後面により係止され、各々の弾発体７の後端が操作体９の鍔部９４の前面に係止される。
【０１１０】
前記弾発体支持部２ｂの前面（即ち支持壁部の後面）には筒状部が前方に延設され、その筒状部内面と後軸２ｃの後端部外面とが螺合または圧入により取り付けられる。
【０１１１】
前記各々の弾発体７は、各々の操作体９を、常時、後方に付勢している。前記各々の弾発体７は、ペン先突出状態、ペン先没入状態のいずれにおいても圧縮状態（即ち筆記体８が後方に付勢された状態）にあり、それにより、各々の操作体９の前後のがたつきが防止される。
【０１１２】
軸筒２の前端部外面（即ち前軸２ａの前端部外面）には、軟質材料（例えば、ＳＢＳ樹脂、ＳＥＢＳ樹脂等の低摩耗性の弾性材料）よりなる摩擦部４が形成される。前記摩擦部４は、軸筒２外面に、２色成形、嵌合、圧入、螺合、接着等の手段により、固着される。
【０１１３】
本実施の形態の熱変色性筆記具１を片手に持ち、一つの操作部５を前方に押圧操作することによって、迅速にペン先没入状態からペン先突出状態にすることできる。この突出状態のペン先で、紙面等の被筆記面に筆記することにより、熱変色性インキ８３による筆跡を被筆記面に形成することができる。
【０１１４】
筆記後、前記熱変色性筆記具１を片手に持った状態で、熱変色性筆記具１を大きく持ち替えること無く、他の操作部５（即ちペン先没入状態にある筆記体８に連結された操作体９）を前方に押圧操作することによって、迅速にペン先突出状態からペン先没入状態にすることができる。このペン先没入状態における摩擦部４で、被筆記面に形成された前記熱変色性インキ８３による筆跡を摩擦し、その際に生じる摩擦熱で前記筆跡を熱変色させることができる。
【０１１５】
尚、前記第５の実施の形態において、他の構成及び作用効果は、第１の実施の形態と共通であるため説明を省略する。
【０１１６】
＜第６の実施の形態＞
本発明の熱変色性筆記具の第６の実施の形態を図１２に示す。
本実施の形態の熱変色性筆記具１は、第２の実施の形態の変形例であり、操作部５の後端外面に軟質材料（例えば、ＳＢＳ樹脂、ＳＥＢＳ樹脂等の低摩耗性の弾性材料）よりなる摩擦部４を設けた点が、前記第２の実施の形態と異なる。
【０１１７】
本実施の形態の熱変色性筆記具１は、前記操作部５の外周面に、前記摩擦部４を用いて摩擦する際に把持可能な把持部５１が設けられる。それにより、摩擦変色時、安定した把持が可能となる。前記把持部５１は、軸方向の長さが１０ｍｍ以上（好ましくは１５ｍｍ以上）に設定される。また、本実施の形態の熱変色性筆記具１は、操作部５の後端外面に軟質材料よりなる摩擦部４を設けることにより、操作部５を前方に押圧操作する際の指との滑り止めがなされる。
【０１１８】
本実施の形態の熱変色性筆記具１を用いて筆記した後、前記熱変色性筆記具１の操作部５の把持部５１を把持し、摩擦部４で、被筆記面に形成された前記熱変色性インキ８３による筆跡を摩擦し、その際に生じる摩擦熱で前記筆跡を熱変色させることができる。それにより、本実施の形態の熱変色性筆記具１は、前記摩擦変色する際、ペン先８１を軸筒２内に没入させることが不要となり、ペン先突出状態、ペン先没入状態の何れの状態でも摩擦変色可能である。
【０１１９】
尚、前記第６の実施の形態において、他の構成及び作用効果については、第１及び第２の実施の形態と共通であるため説明を省略する。
【０１２０】
＜第７の実施の形態＞
本発明の熱変色性筆記具の第７の実施の形態を図１３に示す。
本実施の形態の熱変色性筆記具１は、第３の実施の形態の変形例であり、操作部５の後端外面に軟質材料（例えば、ＳＢＳ樹脂、ＳＥＢＳ樹脂等の低摩耗性の弾性材料）よりなる摩擦部４を設けた点が、前記第３の実施の形態と異なる。
【０１２１】
本実施の形態の熱変色性筆記具１は、前記操作部５の外周面に、前記摩擦部４を用いて摩擦する際に把持可能な把持部５１が設けられる。それにより、摩擦変色時、安定した把持が可能となる。前記把持部５１は、軸方向の長さが１０ｍｍ以上（好ましくは１５ｍｍ以上）に設定される。
【０１２２】
本実施の形態の熱変色性筆記具１を用いて筆記した後、前記熱変色性筆記具１の操作部５の把持部５１を把持し、摩擦部４で、被筆記面に形成された前記熱変色性インキ８３による筆跡を摩擦し、その際に生じる摩擦熱で前記筆跡を熱変色させることができる。それにより、本実施の形態の熱変色性筆記具１は、前記摩擦変色する際、ペン先８１を軸筒２内に没入させることが不要となり、ペン先突出状態、ペン先没入状態の何れの状態でも摩擦変色可能である。
【０１２３】
尚、前記第７の実施の形態において、他の構成及び作用効果については、第１及び第３の実施の形態と共通であるため説明を省略する。
【０１２４】
＜第８の実施の形態＞
本発明の熱変色性筆記具の第８の実施の形態を図１４に示す。
本実施の形態の熱変色性筆記具１は、第４の実施の形態の変形例であり、軸筒２の後端外面に軟質材料（例えば、ＳＢＳ樹脂、ＳＥＢＳ樹脂等の低摩耗性の弾性材料）よりなる摩擦部４を設けた点が、前記第４の実施の形態と異なる。
【０１２５】
本実施の形態の熱変色性筆記具１は、操作部５を摩擦部４に対して独立して設けることができ、操作部５の外観や大きさを自由に設定できる。また、本実施の形態の熱変色性筆記具１は、摩擦変色時、軸筒２の後部を把持することにより、安定した把持が可能となる。
【０１２６】
本実施の形態の熱変色性筆記具１を用いて筆記した後、前記熱変色性筆記具１の軸筒２後部を把持し、摩擦部４で、被筆記面に形成された前記熱変色性インキ８３による筆跡を摩擦し、その際に生じる摩擦熱で前記筆跡を熱変色させることができる。それにより、本実施の形態の熱変色性筆記具１は、前記摩擦変色する際、ペン先８１を軸筒２内に没入させることが不要となり、ペン先突出状態、ペン先没入状態の何れの状態でも摩擦変色可能である。
【０１２７】
尚、前記第８の実施の形態において、他の構成及び作用効果については、第１及び第４の実施の形態と共通であるため説明を省略する。
【０１２８】
＜第９の実施の形態＞
本発明の熱変色性筆記具の第９の実施の形態を図１５に示す。
本実施の形態の熱変色性筆記具１は、第５の実施の形態の変形例であり、軸筒２の後端外面に軟質材料（例えば、ＳＢＳ樹脂、ＳＥＢＳ樹脂等の低摩耗性の弾性材料）よりなる摩擦部４を設けた点が、前記第５の実施の形態と異なる。
【０１２９】
本実施の形態の熱変色性筆記具１は、操作部５を摩擦部４に対して独立して設けることができ、操作部５の外観や大きさを自由に設定できる。また、本実施の形態の熱変色性筆記具１は、摩擦変色時、軸筒２の後部を把持することにより、安定した把持が可能となる。
【０１３０】
本実施の形態の熱変色性筆記具１を用いて筆記した後、前記熱変色性筆記具１の軸筒２後部を把持し、摩擦部４で、被筆記面に形成された前記熱変色性インキ８３による筆跡を摩擦し、その際に生じる摩擦熱で前記筆跡を熱変色させることができる。それにより、本実施の形態の熱変色性筆記具１は、前記摩擦変色する際、ペン先８１を軸筒２内に没入させることが不要となり、ペン先突出状態、ペン先没入状態の何れの状態でも摩擦変色可能である。
【０１３１】
尚、前記第９の実施の形態において、他の構成及び作用効果については、第１及び第５の実施の形態と共通であるため説明を省略する。
【０１３２】
＜第１０の実施の形態＞
本発明の熱変色性筆記具の第１０の実施の形態を図１６に示す。
本実施の形態の熱変色性筆記具１は、第８の実施の形態の変形例であり、摩擦部操作部２ｄを軸筒２の外面に設け、前記摩擦部操作部２ｄを回転操作することにより、摩擦部４を軸筒２の後端から出没可能に構成した点が、前記第５の実施の形態と異なる。
【０１３３】
本実施の形態の熱変色性筆記具１は、摩擦時には、摩擦部４を軸筒２の後端から外部に突出させて摩擦に使用でき、一方、非摩擦時や保管時には、摩擦部４を軸筒２内に没入させ、摩擦部４の汚れを防止できる。
【０１３４】
本実施の形態の熱変色性筆記具１を用いて筆記した後、前記熱変色性筆記具１の軸筒２後部を把持し、摩擦部操作部２ｄを軸筒２に対して回転操作することにより、摩擦部４を軸筒２の後端より外部に突出させ、その突出状態の摩擦部４で、被筆記面に形成された前記熱変色性インキ８３による筆跡を摩擦し、その際に生じる摩擦熱で前記筆跡を熱変色させることができる。本実施の形態の熱変色性筆記具１は、前記摩擦変色する際、ペン先８１を軸筒２内に没入させることが不要となり、ペン先突出状態、ペン先没入状態の何れの状態でも摩擦変色可能である。
【０１３５】
尚、前記第１０の実施の形態において、他の構成及び作用効果については、第１及び第５の実施の形態と共通であるため説明を省略する。
【０１３６】
＜第１１の実施の形態＞
本発明の熱変色性筆記具の第１１の実施の形態を図１７に示す。
本実施の形態の熱変色性筆記具１は、第２の実施の形態の変形例であり、軸筒２の前端外面に摩擦部４を設けるとともに、操作部５の後端外面に軟質材料（例えば、ＳＢＳ樹脂、ＳＥＢＳ樹脂等の低摩耗性の弾性材料）よりなる摩擦部４を設けた点が、前記第２の実施の形態と異なる。前記操作部５の後端外面に設けた摩擦部４は、外面に凸曲面を備える。前記軸筒２の前端外面に設けた摩擦部４と、前記操作部５の後端外面に設けた摩擦部４とは、形状が異なり、摩擦時の被筆記面との接触面積の大きさが異なる。
【０１３７】
本実施の形態の熱変色性筆記具１は、操作部５の後端外面に設けた摩擦部４を用いて摩擦する際に把持可能な把持部５１が、前記操作部５の外周面に設けられる。それにより、摩擦変色時、安定した把持が可能となる。前記把持部５１は、軸方向の長さが１０ｍｍ以上（好ましくは１５ｍｍ以上）に設定される。また、本実施の形態の熱変色性筆記具１は、操作部５の後端外面に軟質材料よりなる摩擦部４を設けたことにより、操作部５を前方に押圧操作する際の指との滑り止めがなされる。
【０１３８】
本実施の形態の熱変色性筆記具１を用いて筆記した後、前記熱変色性筆記具１の操作部５の把持部５１を把持し、操作部５の後端外面に設けた摩擦部４で、被筆記面に形成された前記熱変色性インキ８３による筆跡を摩擦し、その際に生じる摩擦熱で前記筆跡を熱変色させることができる。それにより、本実施の形態の熱変色性筆記具１は、前記摩擦変色する際、ペン先８１を軸筒２内に没入させることが不要となり、ペン先突出状態、ペン先没入状態の何れの状態でも摩擦変色可能である。
【０１３９】
また、本実施の形態の熱変色性筆記具１を用いて筆記した後、ペン先没入状態にして、軸筒２の前端外面に設けた摩擦部４を用いて、被筆記面に形成された前記熱変色性インキ８３による筆跡を摩擦し、その際に生じる摩擦熱で前記筆跡を熱変色させることができる。
【０１４０】
尚、前記第１１の実施の形態において、他の構成及び作用効果については、第１及び第２の実施の形態と共通であるため説明を省略する。
【０１４１】
＜第１２の実施の形態＞
本発明の熱変色性筆記具の第１２の実施の形態を図１８乃至図２０に示す。
本実施の形態の熱変色性筆記具１は、第５の実施の形態の変形例であり、第５の実施の形態と異なる点は、軸筒２の前端部及び軸筒２の後端部に着脱自在のキャップ１１を設けた点である。
【０１４２】
前記弾発体支持部２ｂの前面（即ち支持壁部の前面）と、軸筒２aの後端とにより、弾性材料よりなる円板状のシール体１０が挟持固定される。前記シール体１０は軸筒２aの後端と環状に密接される。前記シール体１０は、複数（ここでは２個）の孔が貫設され、前記孔の内周面と各々の筆記体８の外周面とが環状に密接摺動される。前記孔が、筆記体８の各々の外面と密接摺動するシール部１０１を構成する。
【０１４３】
キャップ１１は、非筆記時または保管時、軸筒２の前端部の外面に装着される。キャップ１１を軸筒２の前端部の外面に装着した際、キャップ１１内面が、軸筒２の前端部の外面と環状に密接し、それにより、軸筒２の前端孔３１が密閉される。筆記時、キャップ１１を軸筒２の前端部から取り外し、キャップ１１を軸筒２の後端部外面に装着し、キャップ１１の紛失を防止できる。
【０１４４】
キャップ１１の頂部外面、軸筒２の前端部外面（即ち軸筒２aの前端部外面）、及び軸筒２の後端部外面（即ち後軸２ｃの後端部外面）には、摩擦部４が形成される。前記摩擦部４は、摩擦時に磨耗屑が殆ど生じない低摩耗性の弾性材料（例えば、ＳＢＳ樹脂、ＳＥＢＳ樹脂）よりなる摩擦部４が形成される。前記摩擦部４は、キャップ１１外面及び軸筒２外面に、２色成形、嵌合、圧入、螺合、接着等の手段により固着される。
【０１４５】
尚、前記第１２の実施の形態において、他の構成及び作用効果については、第１及び第５の実施の形態と共通であるため説明を省略する。
【０１４６】
本発明を詳細にまた特定の実施態様を参照して説明したが、本発明の精神と範囲を逸脱することなく様々な変更や修正を加えることができることは当業者にとって明らかである。
本出願は、２００７年２月２６日出願の日本特許出願（特願２００７−０４６２２６）、２００７年７月２１日出願の日本特許出願（特願２００７−１９０２６１）、２００８年１月１５日出願の日本特許出願（特願２００８−００５２６７）に基づくものであり、その内容はここに参照として取り込まれる。
【符号の説明】
【０１４７】
１      熱変色性筆記具
２      軸筒
２ａ    前軸
２ｂ    弾発体支持部
２ｃ    後軸
２ｄ    摩擦部操作部
２１    窓孔
２２    係止壁部
２３    当接壁部
３      ペン先支持部
３１    前端孔
４      摩擦部
４１    前端外周縁
５      操作部
５１    把持部
６      クリップ
７      弾発体
８      筆記体
８１    ペン先
８１ａ  ボール
８１ｂ  弾発体
８２    インキ収容部
８２ａ  ペン先ホルダー
８２ｂ  インキ収容管
８３    インキ
８４    追従体
８５    尾栓
９      操作体
９１    後側突出部
９２    前側突出部
９３    嵌入部
９４    鍔部
１０    シール体
１０１  シール部
１１    キャップ
【図１】
0005567715.tif 000002
【図２】
0005567715.tif 000003
【図３】
0005567715.tif 000004
【図４】
0005567715.tif 000005
【図５】
0005567715.tif 000006
【図６】
0005567715.tif 000007
【図７】
0005567715.tif 000008
【図８】
0005567715.tif 000009
【図９】
0005567715.tif 000010
【図１０】
0005567715.tif 000011
【図１１】
0005567715.tif 000012
【図１２】
0005567715.tif 000013
【図１３】
0005567715.tif 000014
【図１４】
0005567715.tif 000015
【図１５】
0005567715.tif 000016
【図１６】
0005567715.tif 000017
【図１７】
0005567715.tif 000018
【図１８】
0005567715.tif 000019
【図１９】
0005567715.tif 000020
【図２０】
0005567715.tif 000021